【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
全二重システム又は仮想全二重システムに配置されるリソーススケジューリング装置であって、
スケジューリングされるユーザ装置の集合を確定するための集合確定ユニット；
所定のタイムスロットの同一のリソースについて、目標関数に基づいて前記ユーザ装置の集合から一つのユーザ装置対を選択しスケジューリングを行うためのユーザ選択ユニットであって、前記ユーザ装置対は、一つの上りリンクユーザ装置及び一つの下りリンクユーザ装置を含み、前記目標関数は、前記ユーザ装置対が前記タイムスロットの前記リソース上で達し得る上りリンクのスループット及び下りリンクのスループット、及び、前記基地局のカバレッジ内での上りリンクのスループット及び下りリンクのスループットを考慮する、ユーザ選択ユニット；及び
スケジューリングされる前記ユーザ装置対のために前記リソースを割り当て、対応するパワーを構成するためのリソース割り当てユニットを含む、装置。
【請求項２】
請求項1に記載の装置であって、
前記ユーザ選択ユニットは、
前記ユーザ装置の集合から複数の候補ユーザ装置対を確定するための候補ユーザ確定ユニット；
前記目標関数に基づいて、それぞれ、前記複数の候補ユーザ装置対のために目標値を計算するための目標値計算ユニット；及び
計算された目標値に基づいて、前記複数の候補ユーザ装置対から、スケジューリングされるユーザ装置対及び対応するパワーを確定するためのユーザ確定ユニットを含む、装置。
【請求項３】
請求項2に記載の装置であって、
前記候補ユーザ確定ユニットは、
前記ユーザ装置の集合のうちの任意の二つのユーザ装置を前記候補ユーザ装置対と確定し；或いは、
前記ユーザ装置の集合から一つの下りリンクユーザ装置を確定し、該下りリンクユーザ装置と、前記ユーザ装置の集合のうちの選択されていない任意の一つの上りリンクユーザ装置とを前記候補ユーザ装置対と確定し；又は、前記ユーザ装置の集合から一つの上りリンクユーザ装置を確定し、該上りリンクユーザ装置と、前記ユーザ装置の集合のうちの選択されていない任意の一つの下りリンクユーザ装置とを前記候補ユーザ装置対と確定するように構成される、装置。
【請求項４】
請求項2に記載の装置であって、
前記目標値計算ユニットは、
前記候補ユーザ装置対のうちの上りリンクユーザ装置が前記タイムスロットの前記リソース上で達し得る上りリンクのスループット、及び、前記候補ユーザ装置対のうちの下りリンクユーザ装置が前記タイムスロットの前記リソース上で達し得る下りリンクのスループットを得るためのユーザスループット取得ユニット；
前記候補ユーザ装置対の上りリンクのスループット及び下りリンクのスループットに基づいて、スケジューリング関数により、前記候補ユーザ装置対のユーザスケジューリング値を計算するためのスケジューリング値計算ユニット；
前記基地局のカバレッジにおける前記タイムスロットに関する上りリンクのスループット及び下りリンクのスループットを得るためのシステムスループット取得ユニット；
前記タイムスロットに関する上りリンクのスループット及び下りリンクのスループットに基づいて、コスト関数により、前記基地局のカバレッジにおけるシステムコスト値を計算するためのコスト計算ユニット；及び
前記ユーザスケジューリング値及び前記システムコスト値に基づいて、前記目標関数により、前記候補ユーザ装置対をスケジューリングする場合の目標値を確定するための目標値確定ユニットを含む、装置。
【請求項５】
請求項4に記載の装置であって、
前記目標関数は、
【数１】
2016152622.tif 000001
であり、UDLi(t)及びUULj(t)は、それぞれ、下りリンクユーザ装置i及び上りリンクユーザ装置jが前記タイムスロットtの前記リソース上で達し得る下りリンクのスループット及び上りリンクのスループットを表し；f(UDLi(t),UULj(t))は、前記スケジューリング関数を表し；CDL(t-1)及びCUL(t-1)は、それぞれ、タイムスロットt-1の終了時に前記基地局のカバレッジにおける下りリンクのスループット及び上りリンクのスループットを表し、又は、タイムスロットt-1の終了時から前へのm個のタイムスロットにおける前記基地局のカバレッジ内での下りリンク及び上りリンクのスループットを表し；g(CDL(t-1)／CUL(t-1))は、前記コスト関数を表し；G(PDL,PUL)は、前記目標関数を表し、λは、定数である、装置。
【請求項６】
請求項5に記載の装置であって、
前記スケジューリング関数は、
前記候補ユーザ装置対が前記タイムスロットの前記リソース上で達し得る上りリンクのスループット及び下りリンクのスループットの加重和、即ち、
【数２】
2016152622.tif 000002
であり、α及びβは、定数であり；又は
全てのユーザ装置ができるだけ公平のスケジューリング機会を得るようにさせた場合、前記候補ユーザ装置対が前記タイムスロットの前記リソース上で達し得る上りリンクのスループット及び下りリンクのスループットの加重和、即ち、
【数３】
2016152622.tif 000003
であり、TDLi(t-1)及びTULj(t-1)は、それそれ、タイムスロットt-1に至る時に、下りリンクユーザ装置i及び上りリンクユーザ装置jの累積的な下りリンクのスループット及び上りリンクのスループットを表し、又は、タイムスロットt-1の終了時から前へのm個のタイムスロットにおける下りリンクユーザ装置i及び上りリンクユーザ装置jの累積的な下りリンクのスループット及び上りリンクのスループットを表す、装置。
【請求項７】
請求項5に記載の装置であって、
UDLi(t)は、下りリンクユーザ装置iの前記タイムスロットｔにおける前記リソース上でのSINR
（外１）
2016152622.tif 000004
に関し、
（外２）
2016152622.tif 000005
は、下りリンクパワーPDL、及び、下りリンクユーザ装置iとサービング伝送ポイントとの間のチャネルHDLiにより決定され、
UULj(t)は、上りリンクユーザ装置jの前記タイムスロットｔにおける前記リソース上でのSINR
（外３）
2016152622.tif 000006
に関し、
（外４）
2016152622.tif 000007
は、上りリンクパワーPUL、上りリンクユーザ装置jとサービング伝送ポイントとの間のチャネルHULj、及び前記サービング伝送ポイントの干渉除去能力Icancelにより決定される、装置。
【請求項８】
請求項7に記載の装置であって、
【数４】
2016152622.tif 000008

であり、IDLiは、下りリンクユーザ装置iが前記リソース上で受けた干渉であり、IULjは、上りリンクユーザ装置jが前記リソース上で受けた干渉であり、Nは、ノイズの大小である、装置。
【請求項９】
請求項5に記載の装置であって、
CDL(t-1)／CUL(t-1)が所定値と一致し又は所定範囲内にある場合、g(CDL(t-1)／CUL(t-1))の値はゼロ又は正数であり、また、CDL(t-1)／CUL(t-1)が前記所定値又は前記所定範囲から離れるほど、g(CDL(t-1)／CUL(t-1))の値が大きい、装置。
【請求項１０】
請求項9に記載の装置であって、
g(x)=ax2+bx+cであり、a、b、cは、定数であり、a＞0且つg(A)=0又はg(B)=g(C)=0であり、そのうち、Aは、前記所定値であり、又は、[B,C]は、前記所定範囲である、装置。
【請求項１１】
全二重システム又は仮想全二重システムに用いられるリソーススケジューリング方法であって、
基地局が、スケジューリングされるユーザ装置の集合を確定し；
所定のタイムスロットの同一のリソースについて、目標関数に基づいて前記ユーザ装置の集合から一つのユーザ装置対を選択しスケジューリングを行い、前記ユーザ装置対は、一つの上りリンクユーザ装置及び一つの下りリンクユーザ装置を含み；及び
スケジューリングされるユーザ装置対のために前記リソースを割り当て、対応するパワーを構成することを含み、
前記目標関数は、前記ユーザ装置対が前記タイムスロットの前記リソース上で達し得る上りリンクのスループット及び下りリンクのスループット、及び、前記基地局のカバレッにおける上りリンクのスループット及び下りリンクのスループットを考慮する、方法。
【請求項１２】
請求項11に記載の方法であって、
前記目標関数に基づいて前記ユーザ装置の集合から一つのユーザ装置対を選択しスケジューリングを行うことは、
前記ユーザ装置の集合から複数の候補ユーザ装置対を確定し；
前記目標関数に基づいて、それぞれ、前記複数の候補ユーザ装置対のために目標値を計算し；及び
計算された目標値に基づいて、前記複数の候補ユーザ装置対から、スケジューリングされる前記ユーザ装置対及び対応するパワーを確定することを含む、方法。
【請求項１３】
請求項12に記載の方法であって、
前記ユーザ装置の集合から複数の候補ユーザ装置対を確定することは、
前記ユーザ装置の集合のうちの任意の二つのユーザ装置を前記候補ユーザ装置対と確定し；或いは、
前記ユーザ装置の集合から一つの下りリンクユーザ装置を確定し、該下りリンクユーザ装置と、前記ユーザ装置の集合のうちの選択されていない任意の一つの上りリンクユーザ装置とを前記候補ユーザ装置対と確定し；又は、前記ユーザ装置の集合から一つの上りリンクユーザ装置を確定し、該上りリンクユーザ装置と、前記ユーザ装置の集合のうちの選択されていない任意の一つの下りリンクユーザ装置とを前記候補ユーザ装置対と確定することを含む、方法。
【請求項１４】
請求項12に記載の方法であって、
前記目標関数に基づいて前記候補ユーザ装置対のために目標値を計算することは、
前記候補ユーザ装置対のうちの上りリンクユーザ装置が前記タイムスロットの前記リソース上で達し得る上りリンクのスループット、及び、前記候補ユーザ装置対のうちの下りリンクユーザ装置が前記タイムスロットの前記リソース上で達し得る下りリンクのスループットを取得し；
前記候補ユーザ装置対の上りリンクのスループット及び下りリンクのスループットに基づいて、スケジューリング関数により、前記候補ユーザ装置対のユーザスケジューリング値を計算し；
前記基地局のカバレッジにおける前記タイムスロットに関する上りリンクのスループット及び下りリンクのスループットを取得し；
前記タイムスロットに関する上りリンクのスループット及び下りリンクのスループットに基づいて、コスト関数により、前記基地局のカバレッジ内でのシステムコスト値を計算し；及び
前記ユーザスケジューリング値及び前記システムコスト値に基づいて、前記目標関数により、前記候補ユーザ装置対をスケジューリングする場合の目標値を確定することを含む、方法。
【請求項１５】
請求項14に記載の方法であって、
前記目標関数
【数５】
2016152622.tif 000009

であり、そのうち、UDLi(t)及びUULj(t)は、それぞれ、下りリンクユーザ装置i及び上りリンクユーザ装置jが前記タイムスロットtの前記リソース上で達し得る下りリンクのスループット及び上りリンクのスループットを表し；f(UDLi(t),UULj(t))は、前記スケジューリング関数を表し；CDL(t-1)及びCUL(t-1)は、それぞれ、タイムスロットt-1の終了時に前記基地局のカバレッジ内での下りリンクのスループット及び上りリンクのスループットを表し、又は、タイムスロットt-1の終了時から前へのm個のタイムスロットにおける前記基地局のカバレッジ内での下りリンク及び上りリンクのスループットを表し；g(CDL(t-1)／CUL(t-1))は、前記コスト関数を表し；G(PDL,PUL)は、前記目標関数を表し、λは、定数である、方法。
【請求項１６】
請求項15に記載の方法であって、
前記スケジューリング関数は、
前記候補ユーザ装置対が前記タイムスロットの前記リソース上で達し得る上りリンクのスループット及び下りリンクのスループットの加重和、即ち、
【数６】
2016152622.tif 000010

であり、そのうち、α及びβは、定数であり；又は、
全てのユーザ装置ができるだけ公平のスケジューリング機会を得るようにさせた場合、前記候補ユーザ装置対が前記タイムスロットの前記リソース上で達し得る上りリンクのスループット及び下りリンクのスループットの加重和、即ち、
【数７】
2016152622.tif 000011

であり、そのうち、TDLi(t-1)及びTULj(t-1)は、それそれ、タイムスロットt-1に至る時に、下りリンクユーザ装置i及び上りリンクユーザ装置jの累積された下りリンクのスループット及び上りリンクのスループットを表し；又は、タイムスロットt-1の終了時から前へのm個のタイムスロットにおける下りリンクユーザ装置i及び上りリンクユーザ装置jの累積された下りリンクのスループット及び上りリンクのスループットを表す、方法。
【請求項１７】
請求項15に記載の方法であって、
UDLi(t)は、下りリンクユーザ装置iのタイムスロットｔにおける前記リソース上でのSINR
（外５）
2016152622.tif 000012

に関し、
（外６）
2016152622.tif 000013

は、下りリンクパワーPDL、及び、下りリンクユーザ装置iとサービング伝送ポイントとの間のチャネルHDLiにより決定され、
UULj(t)は、上りリンクユーザ装置jのタイムスロットｔにおける前記リソース上でのSINR
（外７）
2016152622.tif 000014

に関し、
（外８）
2016152622.tif 000015

は、上りリンクパワーPUL、上りリンクユーザ装置jとサービング伝送ポイントとの間のチャネルHULj、及び前記サービング伝送ポイントの干渉除去能力Icancelにより決定される、方法。
【請求項１８】
請求項17に記載の方法であって、
【数８】
2016152622.tif 000016

であり、IDLiは、下りリンクユーザ装置iが前記リソース上で受けた干渉であり、IULjは、上りリンクユーザ装置jが前記リソース上で受けた干渉であり、Nは、ノイズの大小である、方法。
【請求項１９】
請求項15に記載の方法であって、
CDL(t-1)／CUL(t-1)が所定値と一致し又は所定範囲内にある場合、g(CDL(t-1)／CUL(t-1))の値はゼロ又は正数であり、また、CDL(t-1)／CUL(t-1)が前記所定値又は前記所定範囲から離れるほど、g(CDL(t-1)／CUL(t-1))の値は大きい、方法。
【請求項２０】
全二重通信又は仮想全二重通信を行う通信システムであって、
基地局を含み、
前記基地局は、スケジューリングされるユーザ装置の集合を確定し；所定のタイムスロットの同一のリソースについて、目標関数に基づいて前記ユーザ装置の集合から一つのユーザ装置対を選択しスケジューリングを行い；及び、スケジューリングされるユーザ装置対のために前記リソースを割り当て、対応するパワーを構成し、
前記ユーザ装置対は、一つの上りリンクユーザ装置及び一つの下りリンクユーザ装置を含み、
前記目標関数は、前記ユーザ装置対が前記タイムスロットの前記リソース上で達し得る上りリンクのスループット及び下りリンクのスループット、及び、前記基地局のカバレッジにおける上りリンクのスループット及び下りリンクのスループットを考慮する、通信システム。